(57)【要約】【課題】デジタルメディアサーバから伝送されてくるデジタルコンテンツをユーザの環境に合わせて再生するのに好適なスピーカ装置を提供する。【解決手段】スピーカ装置１は、外部から所定の信号形態で伝送されてくる音声信号を受信する受信部１１と、受信部１１により受信された音声信号の信号レベルを増幅するアンプ１２と、アンプ１２により増幅された音声信号を再生するスピーカ３〜６と、天井に設けられた照明用の電源供給端子に接続可能な電源端子９と、少なくとも、スピーカ３〜６の放音面が天井から離れた状態で天井に掛止するケーブル８と、を備え、ケーブル８により天井に掛止されたときに、スピーカ３〜６の放音面が略斜め天井方向を向くように配設した。【選択図】図１
2008035133.tif 000002
【特許請求の範囲】
【請求項１】
メディアを再生するメディア再生手段と、前記メディア再生手段で再生した音声信号を所定の信号形態で送信可能な送信手段と、リモートコマンダからのコマンド信号を受信する第１の受信手段と、前記第１の受信手段により受信されたコマンド信号に応じて前記メディア再生手段を制御する主制御手段と、を備えたオーディオ本体部と、
前記送信手段から所定の信号形態で伝送されてくる音声信号を受信する第２の受信手段と、前記第２の受信手段により受信された音声信号の信号レベルを増幅する第１の増幅手段と、前記第１の増幅手段により増幅された音声信号を再生するスピーカと、上部位置に設けられた照明用の電源供給端子に接続可能な電源端子と、少なくとも前記スピーカの放音面が前記上部位置から離れた状態で前記上部位置に掛止する掛止手段と、を備え、前記掛止手段により上部位置に掛止されたときに前記スピーカの放音面が略斜め上方を向くように配設されているスピーカ装置と、
から構成されることを特徴とするオーディオ装置。
【請求項２】
前記スピーカ装置は、前記スピーカの下方側を照明するように前記のスピーカと一体的に配置された照明手段と、前記照明手段のオン／オフ制御を行う副制御手段と、を備え、前記副制御手段は、前記第２の受信手段により受信されたコマンド信号により前記照明手段のオン／オフ制御を行うことを特徴とする請求項１に記載のオーディオ装置。
【請求項３】
前記スピーカ装置は、照明機器に対して電源を供給する電源供給端子を備え、前記照明機器が取り付け可能に構成されていることを特徴とする請求項１に記載のオーディオ装置。
【請求項４】
前記メディア再生手段で再生した音声信号の一部を増幅する第２の増幅手段と、前記第２の増幅手段により増幅された音声信号を再生するメインスピーカと、を備えることを特徴とする請求項１乃至３の何れか１項に記載のオーディオ装置。
【請求項５】
前記スピーカ装置には、前記スピーカが複数個設けられ、前記主制御手段は、前記スピーカ装置の複数個のスピーカにおいて、それぞれ所定の再生信号が再生されるように前記メディア再生手段の制御を行うことを特徴とする請求項１乃至４の何れか１項に記載のオーディオ装置。
【請求項６】
前記スピーカ装置には、４個のスピーカが一定の間隔で円形状に配置され、前記主制御手段は、聴取者の向き方向に対して略直交方向に位置する２個のスピーカと、略平行方向に位置する２個のスピーカにおいて、それぞれ所定の再生信号が再生されるように前記メディア再生手段の制御を行うことを特徴とする請求項１乃至４の何れか１項に記載のオーディオ装置。
【請求項７】
外部から所定の信号形態で伝送されてくる音声信号を受信する受信手段と、
前記受信手段により受信された音声信号の信号レベルを増幅する増幅手段と、
前記増幅手段により増幅された音声信号を再生するスピーカと、
上部位置に設けられた照明用の電源供給端子に接続可能な電源端子と、
少なくとも、前記スピーカの放音面を前記上部位置から離間させた状態で前記上部位置に前記スピーカを掛止する掛止手段と、を備え、
前記掛止手段により上部位置に掛止されたときに、前記スピーカの放音面が略斜め上方を向くように配設されていることを特徴とするスピーカ装置。
【請求項８】
前記受信手段がリモートコマンダからのコマンド信号を受信可能であると共に、前記受信手段により受信されたコマンド信号に応じて前記増幅手段の増幅レベルを制御する制御手段を備えていることを特徴とする請求項７に記載のスピーカ装置。
【請求項９】
前記スピーカの下方側を照射するようにスピーカと一体的に配置された照明手段を備え、
前記制御手段は、前記照明手段の光量レベルが一定レベル以下になった場合に、所定時間経過後、前記スピーカからの音声出力を停止させるように制御することを特徴とする請求項８に記載のスピーカ装置。
【発明の詳細な説明】
【技術分野】
【０００１】
本発明は天井等の上部位置に取り付け可能なスピーカ装置と、そのスピーカ装置を備えたオーディオ装置に関するものである。
【背景技術】
【０００２】
近年、一般家庭においてマルチチャンネルサラウンドシステムが普及しつつある。マルチチャンネルサラウンドシステムを利用した場合、ユーザは映画館やコンサートホールのような臨場感溢れる音響効果を家庭内において楽しむことができる。しかしながら、周知のようにマルチチャンネルサラウンドシステムは、部屋の形状や聴取者の聴取位置等に応じてスピーカを配置する必要があり、その設置が非常に面倒であるという問題点があった。
そこで、特許文献１にはスピーカを設置する部屋の形状やユーザの視聴位置によらず最適な音場効果が得られるスピーカ装置として、指向性を制御して複数のビーム出力可能なアレイスピーカと照明とを一体化して天井に取り付け、任意の方向に仮想スピーカを作りだすようにしたものが開示されている。
【特許文献１】特開２００５−１２７６５公報
【発明の開示】
【発明が解決しようとする課題】
【０００３】
しかしながら、特許文献１のスピーカ装置は、極めて多数のスピーカと複雑な制御を行う制御装置等が必要になるため、高価で且つ設備が大掛かりなものになってしまい、一般家庭で使用するには不向きであった。また、制御が精密なため、一旦設定した後で部屋の条件を変更したり、視聴位置が変わったりした場合は定位感が得られないという問題点もあった。
また、近年、家庭内ネットワークで音楽／静止画／動画などのデジタルコンテンツを容易にやり取りするための仕様として、ＤＬＮＡ（Digital Living Network Alliance）が提案されている。このため、デジタルメディアプレーヤ（Digital Media Player）に位置付けられるオーディオ装置においては、様々なデジタルメディアサーバ（Digital Media Server）からのデジタルコンテンツをユーザの環境に合わせて再生するのに適したスピーカ装置が求められていた。
そこで、本発明は上記したような点を鑑みて、デジタルメディアサーバから伝送されてくるデジタルコンテンツをユーザの環境に合わせて再生するのに好適なスピーカ装置を提供することを目的とする。また、簡単な構成で部屋の条件や視聴位置の移動により定位感の喪失が小さいオーディオ装置を提供することを目的とする。
【課題を解決するための手段】
【０００４】
上記目的を達成するため、本発明のオーディオ装置は、メディアを再生するメディア再生手段と、前記メディア再生手段で再生した音声信号を所定の信号形態で送信可能な送信手段と、リモートコマンダからのコマンド信号を受信する第１の受信手段と、前記第１の受信手段により受信されたコマンド信号に応じて前記メディア再生手段を制御する主制御手段と、を備えたオーディオ本体部と、前記送信手段から所定の信号形態で伝送されてくる音声信号を受信する第２の受信手段と、前記第２の受信手段により受信された音声信号の信号レベルを増幅する第１の増幅手段と、前記第１の増幅手段により増幅された音声信号を再生するスピーカと、上部位置に設けられた照明用の電源供給端子に接続可能な電源端子と、少なくとも前記スピーカの放音面が前記上部位置から離れた状態で前記上部位置に掛止する掛止手段と、を備え、前記掛止手段により上部位置に掛止されたときに前記スピーカの放音面が略斜め上方を向くように配設されているスピーカ装置と、から構成されることを特徴とする。
また本発明のオーディオ装置は、前記スピーカ装置が前記スピーカの下方側を照明するように前記のスピーカと一体的に配置された照明手段と、前記照明手段のオン／オフ制御を行う副制御手段と、を備え、前記副制御手段は、前記第２の受信手段により受信されたコマンド信号により前記照明手段のオン／オフ制御を行うことを特徴とする。
【０００５】
また本発明のオーディオ装置は、前記スピーカ装置が、照明機器に対して電源を供給する電源供給端子を備え、前記照明機器が取り付け可能に構成されていることを特徴とする。
また本発明のオーディオ装置は、前記メディア再生手段で再生した音声信号の一部を増幅する第２の増幅手段と、前記第２の増幅手段により増幅された音声信号を再生するメインスピーカと、を備えることを特徴とする。
また本発明のオーディオ装置は、前記スピーカ装置には、前記スピーカが複数個設けられ、前記主制御手段は、前記スピーカ装置の複数個のスピーカにおいて、それぞれ所定の再生信号が再生されるように前記メディア再生手段の制御を行うことを特徴とする。
また本発明のオーディオ装置は、前記スピーカ装置には、４個のスピーカが一定の間隔で円形状に配置され、前記主制御手段は、聴取者の向き方向に対して略直交方向に位置する２個のスピーカと、略平行方向に位置する２個のスピーカにおいて、それぞれ所定の再生信号が再生されるように前記メディア再生手段の制御を行うことを特徴とする。
【０００６】
また本発明のスピーカ装置は、外部から所定の信号形態で伝送されてくる音声信号を受信する受信手段と、前記受信手段により受信された音声信号の信号レベルを増幅する増幅手段と、前記増幅手段により増幅された音声信号を再生するスピーカと、上部位置に設けられた照明用の電源供給端子に接続可能な電源端子と、少なくとも、前記スピーカの放音面を前記上部位置から離間させた状態で前記上部位置に前記スピーカを掛止する掛止手段と、を備え、前記掛止手段により上部位置に掛止されたときに、前記スピーカの放音面が略斜め上方を向くように配設されていることを特徴とする。
また本発明のスピーカ装置は、前記受信手段がリモートコマンダからのコマンド信号を受信可能であると共に、前記受信手段により受信されたコマンド信号に応じて前記増幅手段の増幅レベルを制御する制御手段を備えていることを特徴とする。
また本発明のスピーカ装置は、前記スピーカの下方側を照射するようにスピーカと一体的に配置された照明手段を備え、前記制御手段は、前記照明手段の光量レベルが一定レベル以下になった場合に、所定時間経過後、前記スピーカからの音声出力を停止させるように制御することを特徴とする。
【発明の効果】
【０００７】
本発明のスピーカ装置は、スピーカの放音面を略斜め上方位置に取り付けて、なるべく聴取者に直接音が届かないように構成したことにより、聴取者はスピーカの位置を意識することなく音を視聴することができる。つまり、聴取者にバックグラウンド的な聴取環境を提供することができる。
また本発明のスピーカ装置は、照明手段を一体的に設けるようにしたことで、照明手段の光量に連動させてスピーカの音量を調整することが可能になるため、例えば照明の明るさに合わせた音環境を提供することが可能になる。
また、本発明のオーディオ装置は、前記したようなスピーカの放音面を略斜め上方に向けて取り付けて、なるべく聴取者に直接音が届かないように構成したスピーカ装置単体、或いは別に設けたメインスピーカと組み合わせて音声信号を再生することで、複雑な制御等を行うことなく、室内の広範囲において音場感が得られるようになる。また上部位置である天井や壁の反射を利用したことで、部屋の条件や視聴位置の移動による定位感の喪失が小さいオーディオ装置を実現することができた。
【発明を実施するための最良の形態】
【０００８】
以下、図面を参照しながら本発明の実施形態について説明する。
図１は、本発明の第１の実施形態に係るスピーカ装置の外観構成を示した図であり、（ａ）は側面図、（ｂ）は平面図である。
この図１に示すスピーカ装置１は、照明が一体化された構造とされる。このため、スピーカキャビネット２の下側を照明するように照明キャビネット７が一体的に取り付けられている。
スピーカキャビネット２には、図１（ｂ）に示すように、４個のスピーカ３〜６が一定間隔で略円形状に、且つ、当該スピーカ装置１をスピーカよりも上部位置である天井に取り付けた際に、略４５度の角度で天井方向を向くように取り付けられている。またスピーカキャビネット２の内部には、後述するように各スピーカ３〜６を駆動するためのアンプや音声信号を受信するための受信装置等も収納されている。
スピーカキャビネット２の上面には、ケーブル８が取り付けられており、このケーブル８の先端に天井に設けられた照明用の電源供給端子に接続可能な電源端子９が取り付けられている。また電源端子９は当該スピーカ装置１を天井に取り付ける際に掛止手段としても機能する。なお、ケーブル８を介してスピーカ装置１を天井に取り付けるようにすると、スピーカ装置１を天井に直接取り付ける場合より各スピーカ３〜６の放音面を天井から離すことができるため、広がりのある音声とすることができる。なお、本実施形態ではスピーカ３〜６を１つのスピーカキャビネット２内に収納しているが、各スピーカ３〜６ごとにキャビネットを分割するようにしても良い。
照明キャビネット７には、図示しないが部屋を照明するための照明器具（蛍光灯や白熱灯等）が設けられている。
【０００９】
図２は、図１に示したスピーカ装置１の内部構成を示したブロック図である。
図２において、受信部１１は音源装置であるデジタルメディアサーバ（ＤＭＳ）からＤＬＮＡの規格に則って伝送されてくる音声信号を受信可能に構成されている。
また、受信部１１はリモートコマンダ１６からＥＣＨＯＮＥＴ（Energy Conservation and Homecare Network）の規格に則って伝送されてくるコマンド信号を受信可能に構成されている。なお、ＤＭＳとしては、例えばパーソナルコンピュータやセットトップボックス、デジタルカメラやビデオカメラ、多機能な携帯電話機などが挙げられる。
アンプ１２は、制御部１３からの制御信号に基づいて受信部１１から入力される音声信号の信号レベルを増幅して夫々のスピーカ３〜６に出力する。制御部１３は、受信部１１により受信されたコマンド信号に基づいてアンプ１２のレベル制御や照明回路１４の照明制御を行う。
照明回路１４は、制御回路１３の制御に基づいて照明機器１５の点灯制御や光量制御を行う。
なお、本実施形態では、受信部１１においてリモコン信号を受信するようにしているが、リモートコマンダ１６からのコマンド信号を受信するリモコン受信部は別に設けるようにしても良い。また、リモートコマンダとの間の伝送に赤外線を用いることも可能である。
【００１０】
図３は、本実施形態のスピーカ装置１を天井に取り付けた場合の放音の様子を示した図である。
本実施形態のスピーカ装置１を天井に取り付けた場合、スピーカ装置１の各スピーカ３〜６は、その放音面が略４５度の角度で天井方向を向くことから、各スピーカ３〜６から放射された音のエネルギーの多くは、天井２１や璧２２、床２３で反射されて聴取者Ｕに到達する。これにより、スピーカ３〜６から直接聴取者Ｕに到達する音は極めて少なくなり、聴取者Ｕはスピーカ３〜６の位置を意識することなく音を聴取することができる。つまり、聴取者Ｕにバックグラウンド的な聴取環境を提供することができる。
また、本実施形態のスピーカ装置１では、制御部１３において、アンプ１２のレベル制御と照明機器１５の光量制御を行うことが可能に構成されているので、リモートコマンダ１６から伝送されてくる光量レベルのコマンド信号に連動させてアンプ１２の増幅レベルを制御すれば、照明機器１５の明るさに連動させてスピーカ３〜６から再生される再生音の音量を調整することが可能になる。
さらに、聴取者が就寝するために照明を或る一定以上に暗くした場合は、前記した照明の光量に連動してスピーカの音量を下げる制御に加えて、時間経過と共に徐々に音量レベルを下げていくような制御を行い、一定時間経過後、スピーカ３〜６からの再生音がＯＦＦとなるように制御することも可能となる。このようにすれば、聴取者はスピーカの音量を気にすることなく例えば照明の明るさに合わせた音環境を提供することが可能になる。
【００１１】
次に、本発明の第２の実施形態に係るスピーカ装置について説明する。
図４は、本発明の第２の実施形態に係るスピーカ装置の外観構成を示した図であり、（ａ）は外観斜視図、（ｂ）は断面図である。なお、図１と同一部位には同一符号を付して詳細な説明は省略する。
前記図１に示したスピーカ装置１においては照明機器が一体化された構造であったのに対して、この図４（ａ）（ｂ）に示すスピーカ装置３１は、照明機器４１を別体で構成するようにした点に特徴がある。即ち、この図４（ａ）（ｂ）に示すスピーカ装置３１も４個のスピーカ３〜６が略円形状に、且つ、当該スピーカ装置３１を天井に取り付けた際に、各スピーカ３〜６が天井方向を向くように取り付けられている。またスピーカキャビネット３２の内部には、各スピーカ３〜６を駆動するための図示しないアンプ１２、及び音声信号やコマンド信号を受信する受信装置１１等も収納されている。
【００１２】
そして、この場合はスピーカキャビネット３２の上面に天井に設けられた照明用の電源供給端子に接続可能な電源端子９が設けられていると共に、スピーカキャビネット３２の下面には、図４（ｂ）に示すように照明機器４１の電源端子４２を接続可能な電源供給端子３３が設けられている。つまり、スピーカ装置３１は、スピーカキャビネット３２の下面側に照明機器４１を取り付け可能で、且つ、照明機器４１に対して電源を供給可能に構成されている。
従って、本実施形態のスピーカ装置３１の電源端子９を天井２１の電源供給端子２４に接続すれば、スピーカ装置３１を天井に直接取り付けた状態で、その下面側に照明機器４１を取り付けることができるので、現在使用している照明機器４１をそのまま利用したり、或いはユーザが好みの照明機器を取り付けたりすることが可能になる。
また、この際、スピーカ装置３１に取り付ける照明機器４１を、図４（ｂ）に示すようにスピーカ装置３１より大きいサイズのものを選択すると、床面側からスピーカ装置３１が見えないので、照明機器４１のデザイン性等を損なうことがない。
【００１３】
図５は、第２の実施形態に係るスピーカ装置の他の構成例である。なお、図４と同一部位には同一符号を付し、詳細な説明は省略する。
この図５に示すように、スピーカ装置３１のサイズを照明機器４１より大きいサイズにすると、図４に示すスピーカ装置３１に比べてスピーカ３〜６を天井２１から離して設置できるため、スピーカ装置３１から出力する音声に広がりを持たせることが可能になる。
なお、これまで説明したスピーカ装置の構成はあくまでも一例であり、本発明は、複数のスピーカの各放音面が天井方向を向くように配設されているような構造のスピーカ装置に対して適用可能である。
また本実施形態ではスピーカ装置１に４個のスピーカが設けられているものとして説明したが、スピーカは少なくとも１個以上であれば本発明のスピーカ装置を構成可能である。
【００１４】
次に、本発明のオーディオ装置の実施形態について説明する。
図６は、本実施形態のオーディオ装置の内部構成を示した図である。なお、図１と同一部位には同一符号を付して詳細な説明は省略する。
この図６に示すオーディオ装置は、オーディオ本体部５１とスピーカ装置１とから構成される。
オーディオ本体部５１は、メディア再生部（メディア再生手段）５２、送信部（送信手段）５３、アンプ（第２の増幅手段）５４、フロントスピーカであるメインスピーカ５５ａ、５５ｂ、制御部（主制御手段）５６、受信部５７（第１の受信手段）、メモリ（記憶手段）５８、及びリモートコマンダ５９を備えて構成される。
メディア再生部５２は、ＣＤ（Compact Disc）やＭＤ（ミニディスク）、ＤＶＤ（Digital Versatile Disc）やメモリ記憶媒体といった各種メディアに記録されているコンテンツ（音声データ）を再生する。また、メディア再生部５２は、メディアから再生した音声信号に対して、メモリ５８に記憶されている複数の頭部伝達情報から選択した何れかの頭部伝達情報の頭部伝達関数（ＨＲＴＦ）に基づく信号処理を施して出力可能に構成されている。
【００１５】
送信部５３は、メディア再生部５２から送られてくる音声信号をＤＬＮＡの規格に則ったビットストリーム信号に変換して送信する。
アンプ５４は、メディア再生部５２から送られてくる音声信号の信号レベルを増幅してメインスピーカ５５ａ、５５ｂに出力する。メインスピーカ５５ａ、５５ｂはアンプ５４からの音声信号を可聴音に変換して出力する。
制御部５６は、受信部５７において受信されたコマンド信号に基づいてメディア再生部５２やアンプ５４等の各種制御を行う。受信部５７は、リモートコマンダ５９から伝送されてくるコマンド信号を受信して制御部５６に出力する。メモリ５８は不揮発性メモリであり、制御に必要な各種情報や、頭部伝達関数に基づいた複数の頭部伝達情報が予め記憶されている。なお、メインスピーカ５５ａ、５５ｂは、オーディオ本体部５１とは夫々別体で構成しても良い。またスピーカ５５ａ、５５ｂにアンプを含めて別体で構成する場合は、アンプ５４をスピーカ５５ａ、５５ｂ毎に必要になることは言うまでもない。
一方、スピーカ装置１は、前記図１に示したような外観構成とされ、その内部には、受信部（第２の受信手段）１１、アンプ（第１の増幅手段）１２、制御部（副制御手段）１３、照明回路１４、及び照明機器１５を備えて構成される。
【００１６】
図７は、本実施形態のオーディオ装置におけるスピーカの配置と放音の様子を示した図であり、本実施形態のオーディオ装置においては、聴取者Ｕの前方にオーディオ本体部５１のメインスピーカ５５を配置し、天井にスピーカ装置１を取り付けるようにしている。
このように構成される本実施形態にオーディオ装置においては、バックグラウンドミュージック的な音楽再生を行いたい場合、聴取者Ｕはリモートコマンダ５９に対して所定の操作を行うようにする。すると、受信部５７を介してリモートコマンダ５９からのコマンド信号を受け取った制御部５６は、スピーカ装置１の複数個のスピーカ３〜６において同一音声信号、或いはスピーカ３〜６において左チャンネル信号（以下、Ｌ信号）と右チャンネル信号（以下、Ｒ信号）とが交互に再生されるようにメディア再生部５２の制御を行う。メディア再生部５２で再生された音声信号は送信部５３から送信される。この送信信号はスピーカ装置１の受信部１１で受信され、アンプ１２を介して各スピーカ３〜６より再生するようにしている。
先においても述べたように、スピーカ装置１の各スピーカ３〜６は、その放音面が略４５度の角度で天井方向に向けられていることから、各スピーカ３〜６から放射された音のエネルギーの多くは、天井２１や璧２２、床２３で反射されて聴取者Ｕに到達し、スピーカ３〜６から直接聴取者Ｕに到達する音は極めて少なくなり、聴取者Ｕはスピーカ３〜６の位置を意識することなく音を聴取することができるように配置されている。
【００１７】
従って、本実施形態のオーディオ本体部５１から各スピーカ装置１に対して、各スピーカ３〜６からは同じ音声信号、或いは各スピーカ３〜６と聴取者Ｕとの位置関係が図８（ａ）に示すような場合は、スピーカ４、５でＬ信号、スピーカ３、６でＲ信号を出力すれば、聴取者Ｕは部屋のどこにいても、ほぼ同様の音場感が得られことになり、バックグラウンドミュージックの再生として最適な聴取環境を提供することができる。
また本実施形態のオーディオ装置において、サラウンド再生を行いたい場合は、上記同様、聴取者Ｕはリモートコマンダ５９に対して所定の操作を行うようにする。すると、受信部５７を介してリモートコマンダ５９からのコマンド信号を受け取った制御部５６はメディア再生部５２の制御を行う。これにより、メディア再生部５２は、スピーカ装置１のスピーカ３〜６のうち、聴取者Ｕの向き方向に対して略直交方向に位置する２個のスピーカ４、６において左信号及び右信号を再生させ、聴取者Ｕの向き方向に対して略平行方向に位置する２個のスピーカ３、５においてサラウンド信号を再生させるようにする。このようにすれば、別途、サラウンドスピーカを設置することなく、聴取者Ｕに対して音像定位感を与えることができるので、サラウンド再生を簡単に実現することができる。また、本実施形態では、天井や壁の反射を利用していることから部屋の条件や聴取者Ｕの聴取位置の移動による定位感の喪失が小さいという利点がある。さらに本実施形態では、スピーカ装置１に４つのスピーカ３〜６を設けるだけでよいため、従来のスピーカ装置に比べて安価で実現することができる。
【００１８】
また本実施形態のメディア再生部５２は、制御部５６の制御により、図８（ｂ）に示すように、メインスピーカ５５ａ、５５ｂにおいてセンター信号を含むフロント信号を再生させ、スピーカ装置１のスピーカ３〜６によりサラウンド信号を再生させるようにした場合も、別途サラウンドスピーカを設置することなくサラウンド再生を実現することができる。また、上記同様、天井や壁の反射を利用していることから部屋の条件や聴取者Ｕの聴取位置の移動による定位感の喪失が小さく、従来のスピーカ装置に比べて安価で実現することができる。
また本実施形態のメディア再生部５２は、制御部５６の制御により、図８（ｂ）に示すように、メインスピーカ５５ａ、５５ｂにおいてセンター信号を含むフロント信号を再生させ、スピーカ装置１のスピーカ３〜６のうち、聴取者Ｕの向き方向に対して略直交方向に位置する２個のスピーカ４、６においてＬサラウンド信号及びＲサラウンド信号を再生させ、聴取者Ｕの向き方向に対して略平行方向に位置する２個のスピーカ３、５においてサラウンド信号を再生させるようにする。このようにした場合も、上記同様の効果が得られる。
【００１９】
さらに、メディア再生部５２は、メインスピーカとしてセンター信号を再生しない場合やセンタースピーカが別途設定されていない場合は、図８（ａ）に示すように聴取者Ｕの向き方向に対して略直交方向に位置する２個のスピーカ４、６において左サラウンド信号及び右サラウンド信号を再生させ、聴取者の向き方向に対して略平行方向に位置する２個のスピーカのうち、前方に位置するスピーカ３からセンター信号を再生させる。このようにすれば、聴取者Ｕの前方にセンタースピーカを設置することなくセンターｃｈ（チャンネル）を設けたサラウンド再生を実現することができる。
また前記したようなサラウンド再生を行う場合は、メディア再生部５２において、メモリ５８に記憶されている頭部伝達関数に基づいて音声信号に対して所定の処理、例えば、周波数特性の変更や遅延処理等を施すことで、予め定めた位置の聴取者Ｕに対してより正確なサラウンド再生を実現することができる。この場合、メモリ５８に頭部伝達関数に基づく頭部伝達情報として、部屋のサイズやスピーカ装置１等の条件を変えた複数の頭部伝達関数をメモリ５８に予め記憶させておき、聴取者Ｕが任意の頭部伝達関数を選択できるようにしておくと、聴取環境に合わせて最適なサラウンド再生を実現することができる。
【００２０】
また、本実施形態のオーディオ装置においても、スピーカ装置１では、制御部１３においてアンプ１２のレベル制御と照明機器１５の光量制御を行うことが可能に構成されているので、図示しないリモートコマンダから伝送されてくる光量レベルのコマンド信号に連動させてアンプ１２の増幅レベルを制御すれば、照明機器１５の明るさに連動させてスピーカ３〜６から再生される再生音の音量を調整することが可能になる。
さらに、聴取者が就寝するために、照明を或る一定以上に暗くした場合は、前記した照明の光量に連動してスピーカの音量を下げる制御に加えて、時間経過と共に徐々に音量レベルを下げていくような制御を行い、一定時間経過後、スピーカ３〜６からの再生音がＯＦＦとなるように制御することも可能となる。このようにすれば、聴取者はスピーカの音量を気にすることなく、例えば照明の明るさを合わせた音環境を提供することができる。
なお、本実施形態では、図１に示した照明機器が一体化されたスピーカ装置１を用いてオーディオ装置を構成する場合を例に挙げたが、これはあくまでも一例であり、図４に示したような照明機器が別体で構成されたスピーカ装置を適用しても良い。
【図面の簡単な説明】
【００２１】
【図１】本発明の第１の実施形態に係るスピーカ装置の外観構成を示した図である。
【図２】図１に示したスピーカ装置の内部構成を示したブロック図である。
【図３】本実施形態のスピーカ装置を天井に取り付けた場合の放音の様子を示した図である。
【図４】本発明の第２の実施形態に係るスピーカ装置の外観構成を示した図である。
【図５】第２の実施形態に係るスピーカ装置の他の構成例である。
【図６】本実施形態のオーディオ装置の内部構成を示した図である。
【図７】本実施形態のオーディオ装置におけるスピーカの配置と放音の様子を示した図である。
【図８】サラウンド再生を実現する場合のスピーカ配置例を示した図である。
【符号の説明】
【００２２】
１、３１…スピーカ装置、２、３２…スピーカキャビネット、３〜６…スピーカ、７…照明キャビネット７、８…ケーブル、９…電源端子、１１、５７…受信部、１２、５４…アンプ、１３、５６…制御部、１４…照明回路、１５…照明機器、１６、５９…リモートコマンダ、３３…電源供給端子、５１…オーディオ本体、５２…メディア再生部、５３…送信部、５５ａ、５５ｂ…メインスピーカ、５８…メモリ
【図１】
2008035133.tif 000003
【図２】
2008035133.tif 000004
【図３】
2008035133.tif 000005
【図４】
2008035133.tif 000006
【図５】
2008035133.tif 000007
【図６】
2008035133.tif 000008
【図７】
2008035133.tif 000009
【図８】
2008035133.tif 000010